(57)【要約】      （修正有）【課題】スプリットリングを開く機能を備えた釣用プライヤーを提供する。【解決手段】スプリットリング１２の隣接巻き線１２ａ同士を拡開するべく、一方の挟持面部９から突出した爪部１１を備えた釣用のプライヤーであって、他方の挟持面部１０の先端縁から外側面部に至る状態で長尺板状の傾斜制限部１３を突出するように設けて、巻き線１２ａ間を拡開したときに拡開部位とは径方向逆側部位１２ｄが傾斜制限部１３に当接するようにしてスプリットリング１２の傾斜を制限する。【選択図】図６
0003234828.tif 000002
【実用新案登録請求の範囲】
【請求項１】
開閉自在で、内側面部同士が互いに対向する一対の挟持部を備え、
一方の挟持部の内側面部に他方の挟持部側に向けて突出する爪部を設け、
他方の挟持部の先端縁を挟持部同士を閉じたとき前記爪部に摺接または近接対向するものにして、
スプリットリングの隣接する巻き線間に爪部先端を挿入する状態で挟持部同士を閉じることにより、爪部が深く挿入して隣接する巻き線同士を拡開できるように構成にした釣用プライヤーにおいて
前記他方の挟持部の外側面部に、巻き線同士を拡開したときのスプリットリングの傾斜を制限をするための傾斜制限部が設けられていることを特徴とする釣用プライヤー。
【請求項２】
傾斜制限部は、スプリットリングの巻き線同士を拡開したときの爪部挿入部位とは径方向逆側の巻き線部位が当接するべく他方の挟持部の先端部から外側面部に至る状態で突出または肉厚状に設けられていることを特徴とする請求項１記載の釣用プライヤー。
【請求項３】
一対の挟持部は、中間部同士が枢支され、基端側に操作部を存する一対の杆状体の先端部に設けられ、
前記挟持部は、杆状体に一体形成される挟持本体部と、該挟持本体部に着脱自在に取り付けられ、先端縁部が挟持本体部の先端縁から先方に延出する挟持面部とからなり、
前記杆状体はアルミニウム等の軽金属材で形成され、挟持面部、爪部、傾斜制限部は鋼、ステンレス等の硬質金属材で形成されたものであって、
爪部は一方の挟持面部の先端縁部に設けられ、他方の挟持面部の先端縁が爪部に摺接または近接対向し、
傾斜制限部は、他方の挟持本体部の先端縁から外側面部に至る状態で突出状に設けられることを特徴とする請求項１乃至３の何れか１記載の釣用プライヤー。
【請求項４】
爪部は先端側底面を存した円柱形をし、該先端側底面の基端側稜線部が隣接巻き線間に挿入して拡開するものであることを特徴とする請求項１乃至３の何れか１記載の釣用プライヤー。
【考案の詳細な説明】
【技術分野】
【０００１】
本考案は、スプリットリングを開く機能を備えた釣用プライヤーに関するものである。
【背景技術】
【０００２】
一般に、釣用プライヤーのなかには、仕掛けやルアーの取り付け等に用いる二巻き程度の巻き線が螺旋状に巻装されたスプリットリングの隣接する巻き線間を開くためのリングオープナー機能を備えたものがある。このようなリングオープナー機能を備えた釣用プライヤーは、通常、開閉操作自在な一対の挟持部のうちの一方の挟持部の先端部に、他方の挟持部側に向けて爪部が突出形成されたものとし、そして該爪部をスプリットリングの巻き線間に挿入して巻き線同士のあいだを押し広げることができるように構成されている。
このような釣用プライヤーとして、一方の挟持部の先端縁部を他方の挟持部の先端縁よりも突出させるとともに、その突出した先端縁部に、他方の挟持部側に向けて爪部を突出形成し、そして挟持部同士を閉じたときに爪部が他方の挟持部の先端に摺接または近接対向するように構成したものが知られている（例えば、特許文献１参照）。
【先行技術文献】
【特許文献】
【０００３】
【特許文献１】意匠登録第１３２４２５７号公報
【考案の概要】
【考案が解決しようとする課題】
【０００４】
このような釣用プライヤーを用いてスプリットリングの隣接する巻き線間を拡開する場合、爪部は、図７に示すように、先端側の巻き線１２ａと基端側の巻き線１２ａとのあいだに無理嵌め状に挿入して隣接する巻き線間を拡開する（押し広げる）ことになるが、このとき先端側の巻き線には、爪部の挿入力が先端側に向いた状態で作用することになる結果、スプリットリングは、爪部が挿入する部位とは径方向逆側の巻き線部位が、他方の挟持部の外側面部に当接する大きく傾斜した姿勢となり、このため、拡開した巻き線の先端縁部位が挟持部の先端周縁部に近接した状態となって連結部品側のリングに通しづらくなる等の問題があり、これらに本考案の解決すべき課題がある。
【課題を解決するための手段】
【０００５】
本考案は、上記の如き実情に鑑みこれらの課題を解決することを目的として創作されたものであって、請求項１の考案は、開閉自在で、内側面部同士が互いに対向する一対の挟持部を備え、一方の挟持部の内側面部に他方の挟持部側に向けて突出する爪部を設け、他方の挟持部の先端縁を挟持部同士を閉じたとき前記爪部に摺接または近接対向するものにして、スプリットリングの隣接する巻き線間に爪部先端を挿入する状態で挟持部同士を閉じることにより、爪部が深く挿入して隣接する巻き線同士を拡開できるように構成にした釣用プライヤーにおいて、前記他方の挟持部の外側面部に、巻き線同士を拡開したときのスプリットリングの傾斜を制限をするための傾斜制限部が設けられていることを特徴とする釣用プライヤーである。
請求項２の考案は、傾斜制限部は、スプリットリングの巻き線同士を拡開したときの爪部挿入部位とは径方向逆側の巻き線部位が当接するべく他方の挟持部の先端部から外側面部に至る状態で突出または肉厚状に設けられていることを特徴とする請求項１記載の釣用プライヤーである。
請求項３の考案は、一対の挟持部は、中間部同士が枢支され、基端側に操作部を存する一対の杆状体の先端部に設けられ、前記挟持部は、杆状体に一体形成される挟持本体部と、該挟持本体部に着脱自在に取り付けられ、先端縁部が挟持本体部の先端縁から先方に延出する挟持面部とからなり、前記杆状体はアルミニウム等の軽金属材で形成され、挟持面部、爪部、傾斜制限部は鋼、ステンレス等の硬質金属材で形成されたものであって、爪部は一方の挟持面部の先端縁部に設けられ、他方の挟持面部の先端縁が爪部に摺接または近接対向し、傾斜制限部は、他方の挟持本体部の先端縁から外側面部に至る状態で突出状に設けられることを特徴とする請求項１乃至３の何れか１記載の釣用プライヤーである。
請求項４の考案は、爪部は先端側底面を存した円柱形をし、該先端側底面の基端側稜線部が隣接巻き線間に挿入して拡開するものであることを特徴とする請求項１乃至３の何れか１記載の釣用プライヤーである。
【考案の効果】
【０００６】
請求項１の考案とすることにより、プライヤーを用いてスプリットリングの巻き線間を拡開した場合に、スプリットリングは傾斜制限部によって傾斜制限がなされることになって連結部品側のリングへの通し作業が容易になる。
請求項２の考案とすることにより、傾斜制限部が、他方の挟持部に簡単な構造で設けられることになる。
請求項３の考案とすることにより、操作部及び挟持本体部が形成されるプライヤーの凡その部位が軽金属で形成されたものとなって軽量で加工しやすいものとなりながら、スプリットリングの拡開操作をするために必要な挟持面部、爪部、傾斜制限部が鋼、ステンレス等の硬質金属材で形成されたものとなって強度的に強く耐久性の優れたものとなる。
請求項４の考案とすることにより、スプリットリングを拡開するため設けられる爪部を円柱形をしたものとして爪部先端縁が先鋭状になっているもののように他部材に突き刺さってしまうようなことを回避できるうえ、巻き線同士の拡開が、爪部先端の稜線部が巻き線間に次第に幅広になる状態で挿入し、かつ直角状になる先端側底面と基端側周面とに沿う案内状態で拡開していくことになって、爪部を構造簡単なものにしながら確実なスプリットリングの拡開操作でできることになる。
【図面の簡単な説明】
【０００７】
【図１】挟持部を開いた状態の釣用プライヤーの正面図である。
【図２】挟持部を閉じた状態の釣用プライヤーの正面図である。
【図３】（Ａ）は一方の挟持面部の底面図、（Ｂ）は他方の挟持面部の平面図、（Ｃ）は一方の挟持部部位の斜視図である。
【図４】（Ａ）（Ｂ）は一方の挟持部部位の平面図、縦断面図である。
【図５】（Ａ）（Ｂ）は他方の挟持部部位の底面図、縦断面図である。
【図６】（Ａ）（Ｂ）（Ｃ）は大径のスプリットリングを拡開する工程を示す作用説明図である。
【図７】（Ａ）（Ｂ）は爪部があるプライヤー、爪部がないプライヤーを用いて大径のスプリットリングを拡開した状態を示す作用説明図、（Ｃ）（Ｄ）は爪部があるプライヤー、爪部がないプライヤーを用いて小径のスプリットリングを拡開した状態を示す作用説明図である。
【考案を実施するための形態】
【０００８】
以下、本考案を実施するための形態について、図面に基づいて説明する。図面において、１は一対の杆状体２、３の長手方向中間部が支軸４を介して回動（揺動）自在に枢支される釣用のプライヤーであって、該プライヤー１は、開閉自在に対向する一対の挟持部５、６が杆状体２、３の先端側に設けられ、これら挟持部５、６を開閉させるべく操作される一対の操作部（握り部）７、８が杆状体２、３の基端側に設けられている。
【０００９】
前記一対の挟持部５、６は、杆状体２、３の先端部に一体形成される挟持本体部５ａ、６ａと、該挟持本体部５ａ、６ａの平板状になった内側面５ｂ、６ｂにビス５ｃ、６ｃを介して着脱自在に取り付けられる挟持面部９、１０とを備えて構成される。
前記挟持面部９、１０は、挟持部５、６同士を閉じたときに内側面部９ａ、１０ａ同士が互いに面接触状態で当接する平面状の挟持面部９、１０と、前記挟持本体部５ａ、６ａの内側面５ｂ、６ｂに当接する平面状の外側面部９ｂ、１０ｂとを備えた平板材により構成され、そして挟持面部９、１０は、長期間の使用等により挟持面部９、１０が損傷したような場合に、該挟持面部９、１０を挟持本体部５ａ、６ａからビス５ｃ、６ｃの着脱により取り外して交換できるようになっている。
【００１０】
前記一対の挟持面部９、１０の先端部９ｃ、１０ｃは、何れも対応する挟持本体部５ａ、６ａの先端縁５ｄ、６ｄよりも先方に延出（突出）しているが、一方の挟持面部９の先端部９ｃは、他方の挟持面部１０の先端部１０ｃよりもさらに先方に長く延出し、該延出した部位に、他方の挟持面部１０側に向けて突出する爪部１１が設けられている。そして本実施の形態の爪部１１は、後述するようにスプリットリング１２を拡開するためのものであって、平面となった円弧状の先端面（底面）１１ａと周面（円周面）１１ｂとを存した円柱形のものとなっている。
そして爪部１１は、挟持面部９、１０同士を閉じた状態で、周面１０ｂが他方の挟持面部１０の先端縁１０ｄに当接（摺接）するか、僅かな間隙を存して近接対向すると共に一方、底面１１ａが他方の挟持面部１０の外側面部１０ｂを越えて突出する長さに設定されている。
因みに、他方の挟持面部１０の先端縁１０ｄは、爪部１１の周面１０ｂの円弧形状に対応して円弧状の凹溝形状になっている。
因みに本実施の形態において、爪部１１は、基部１１ｄを一方の挟持面部９に形成の取り付け孔９ｅに挿入し、挿入先端部１１ｅをカシメることで抜け止め状に取り付けられたものとなっている。
【００１１】
一方、他方の挟持本体部６ａの先端部６ｅには、先端縁６ｄから外側面６ｆに至るよう傾斜制限部１３が、該先端部６ｅの左右方向中央部に分け入る状態で突出状に設けられている。
具体的には、他方の挟持本体部６ａの先端部６ｅには、左右方向中央部に挿入溝６ｇが形成され、該挿入溝６ｂに板状の傾斜制限部１３が挿入組み込みされているが、該傾斜制限部１３は、内側面１３ａが他方の挟持面部１０の外側面部１０ｂに当接し、先端縁１３ｂが他方の挟持面部１０の先端縁１０ｄには至らないが他方の挟持本体部６ａの先端縁６ｄよりも先方位置に位置している。さらに該先端縁１３ｄから続く外側面部１３ｃが他方の挟持面部１０の外側面部１０ｂに沿う状態で該外側面部１０ｂよりも外方に突出した板状のもので構成され、後端縁部１３ｄからは、他方の挟持本体部６ａの取り付け溝１０ｅとして延長形成される係止溝１０ｆに係止する係止部１３ｅが延出形成されている。
そして傾斜制限部１３は、係止部１３ｅが他方の挟持面部１０と他方の挟持本体部６ａとのあいだに挟持されることで抜け止め状に取り付けられるが、該傾斜制限部１３の大きさは、後述するように拡開対象とするスプリットリング１２の径の大きさに対応している。つまり傾斜制限部１３は、拡開対象のスプリットリング１２が、拡開操作時に傾斜制限部１３の外側面部１３ｃに当接して傾斜制限を受ける大きさに設定されている。
【００１２】
このように本考案が実施されたプライヤー１は、プライヤー１として殆どの構成部材を締める杆状体２、３がアルミニウムや真鍮等の軽金属材料を用いて構成され、これによって杆状体２、３を加工しやすく、かつプライヤー１の軽量化を図ったものにする一方、支軸４、挟持面部９、１０、爪部１１、そして傾斜制限部１３については鋼、ステンレス等の硬質金属材料を用いて構成して強度アップを図り耐久性に優れたものとなるよう配慮している。
尚、挟持面部９、１０の基端側部位には、カッター１４がビス１４ａを介して着脱自在に取り付けられているが、該カッター１４についても前述した硬質金属材料を用いて構成されている。
【００１３】
次に、斯かるプライヤー１を用いてスプリットリング１２の隣接する巻き線１２ａ同士を拡開する（押し開く）操作について図６、７に基づいて説明する。この場合に、本実施の形態において採用されるスプリットリング１２は、巻き線１２ａが螺旋状に二巻きほどなされたものとなっている。
まず図６（Ａ）に示すように、挟持部５、６を拡開し、スプリットリング１２の中空部を他方の挟持面部１０の先端部１０ｃに遊嵌した状態で、操作部７、８を握り操作して挟持部５、６を閉じて、爪部１２の先端面１２ａと周面１２ｂとにより９０度の角度を存する稜線（コーナー部）１２ｃの基端側部位が、拡開しようとする隣接巻き線１２ａｘ、１２ａｙ間の溝状部１２ｄに突き当てる（図６（Ｂ）参照）。そしてこのままさらに操作部７、８を握り操作して挟持部５、６を閉じていくと、図６（Ｃ）に示すように前記稜線１２ｃ部位が溝状部１２ｄに次第に幅広になる状態で深く挿入していくことになって隣接する巻き線１２ａｘ、１２ａｙ同士が拡開する（押し開かれる）。
【００１４】
そしてこのように爪部１１の稜線１１ｃが巻き線１２ａ間の溝状部１２ｃに深く挿入して隣接する巻き線１２ａｘ、１２ａｙ同士が拡開する場合、一方の先端側の巻き線１２ａｘは爪部１１の先端面１１ａに摺接し、基端側の巻き線１２ａｙは爪部１１の周面１０ｂに摺接する状態で拡開されることになるが、このようにスプリットリング１２が、隣接する巻き線１２ａ同士を拡開する際の負荷を受けるが、該負荷は、先端側巻き線１２ａｘが他方の挟持部６側に向けて押し開く方向の負荷となり、この結果、スプリットリング１２は、該スプリットリング１２の拡開部位とは径方向逆側部位１２ｄが他方の挟持本体部６ａの外側面６ｄ側に変位する負荷を受けることになって該径方向逆側部位１２ｄが他方の挟持本体部６ａの外側面６ｆに当接する方向に傾斜することになるが、該スプリットリング１２の傾斜は、径方向逆側部位１２ｄが傾斜制限部１３に当接することになって傾斜が緩和する制限を受けるように構成されている。
【００１５】
叙述の如く構成された本実施の形態において、スプリットリング１２の隣接する巻き線１２ａ間に爪部１１先端の稜線１１ｃ部位を挿入する状態で挟持部５、６同士を閉じることにより、爪部１２の稜線１２ｃ部位が深く挿入して隣接する巻き線１２ａ同士を拡開することになるが、この場合に、巻き線１２ａ同士を拡開したときのスプリットリングの傾斜を制限するため他方の挟持面部１０の外側面部１０ｂから突出するように設けた傾斜制限部１３に、巻き線１２ａの爪部挿入部位とは径方向逆側の巻き線部位１２ｄが当接して傾斜制限されることになり、この結果、傾斜制限部１３が他方の挟持部６に簡単な構造で設けられたものでありながら、拡開された巻き線１２ａの先端縁１２ｂが傾斜制限された状態となっているため、連結部品側のリングへの通し作業が、他方の挟持面部１０に邪魔されることが低減されたものとなって操作性が工場する。
【００１６】
しかもこの場合に傾斜制限部１３は、スプリットリング１２の巻き線１２ａ同士を拡開するときに爪部１２が挿入する部位とは径方向逆側部位１２ｄが当接するべく他方の挟持部６の先端縁６ｆから外側面部６ｄにまで至る状態で突出状に設けられていることから、スプリットリング１２が大小異径のものに対応することができる。
【００１７】
そのうえこのものでは、一対の挟持部５、６は、中間部同士が支軸４によって枢支され、基端側に操作部７、８を存する一対の杆状体２、３の先端部に設けられたものとなっており、しかも該挟持部５、６は、杆状体２、３に一体形成される挟持本体部５ａ、６ａと、該挟持本体部５ａ、６ａに着脱自在に取り付けられ、先端縁部９ｄ、１０ｄが挟持本体部５ａ、６ａの先端縁５ｆ、６ｆから先方に延出する挟持面部９、１０とから構成されたものとなっており、そして杆状体２、３はアルミニウム等の軽金属材で形成され、挟持面部９、１０、爪部１１、傾斜制限部１３、支軸４、そしてカッター１４は鋼、ステンレス等の硬質金属材で形成されたものとなっているから、プライヤー１として主たる構成部材となる杆状体２、３が軽量なものとなって取り扱いやすいだけでなく加工も容易であって必要形状にすることが容易となる一方で、プライヤー１としての本来の機能を有する挟持面部９、１０等の前記部材が硬質金属で形成されていることとなって確実な強度維持が図れることになる。
【００１８】
しかも前述したようにスプリットリング１２を拡開するための爪部１１が、円弧状の先端面１１ａを存した円柱形をし、該先端面１１ａと周面１０ｂとコーナー部となるの稜線１１ｃ部位が隣接巻き線１２ａ間の溝状部１２ｃに挿入して拡開するものとなっている結果、爪部１１が、先端先鋭状になっているもののように他部材に不用意に突き刺さってしまうようなことを回避できるうえ、巻き線１２ａ同士の拡開が、爪部１１先端の稜線１１ｃ部位が巻き線１２ａ間に次第に幅広になる状態で挿入し、かつ直角状になる先端側底面１１ａと基端側周面１０ｂとに沿う案内状態で拡開していくことになって、爪部１１を構造簡単なものにしながら確実なスプリットリング１２の拡開操作でできることになる。
【００１９】
尚、本考案は前記実施の形態のものに限定されないものであることは勿論であって、傾斜制限部１３として、前記実施の形態のものは他方の挟持面部１０の先端縁１０ｄから外側面部１０ｂに至る長尺板状のものを外側面部１０ｂから板状に突出する状態で設けたが、これに限定されず外側面部１０ｂに沿う平板状のものを肉厚になるよう設けたものであっても実施することができる。
【産業上の利用可能性】
【００２０】
本考案は、スプリットリングを拡開する機能を備えた釣用プライヤーとして利用することができる。
【符号の説明】
【００２１】
１  プライヤー
２、３  杆状体
４  支軸
５、６  挟持部
５ａ、６ａ  挟持本体部
５ｂ、６ｂ  内側面
７、８  操作部
９  一方の挟持面部
９ａ  内側面部
９ｂ  外側面部
９ｃ  先端部
９ｄ  先端縁部
１０  他方の挟持面部
１０ａ  内側面部
１０ｂ  外側面部
１０ｃ  先端部
１０ｄ  先端縁
１１  爪部
１１ａ  先端面
１１ｂ  周面
１１ｃ  稜線
１２  スプリットリング
１２ａ  巻き線
１２ｂ  先端縁
１２ｃ  溝状部
１２ｄ  逆側部位
１３  傾斜制限部
【図１】
0003234828.tif 000003
【図２】
0003234828.tif 000004
【図３】
0003234828.tif 000005
【図４】
0003234828.tif 000006
【図５】
0003234828.tif 000007
【図６】
0003234828.tif 000008
【図７】
0003234828.tif 000009
【手続補正書】
【提出日】令和3年8月26日(2021.8.26)
【手続補正１】
【補正対象書類名】実用新案登録請求の範囲
【補正対象項目名】全文
【補正方法】変更
【補正の内容】
【実用新案登録請求の範囲】
【請求項１】
開閉自在で、内側面部同士が互いに対向する一対の挟持部を備え、
一方の挟持部の内側面部に他方の挟持部側に向けて突出する爪部を設け、
他方の挟持部の先端縁を挟持部同士を閉じたとき前記爪部に摺接または近接対向するものにして、
スプリットリングの隣接する巻き線間に爪部先端を挿入する状態で挟持部同士を閉じることにより、爪部が深く挿入して隣接する巻き線同士を拡開できるように構成にした釣用プライヤーにおいて
前記他方の挟持部の外側面部に、巻き線同士を拡開したときのスプリットリングの傾斜を制限をするための傾斜制限部が設けられていることを特徴とする釣用プライヤー。
【請求項２】
傾斜制限部は、スプリットリングの巻き線同士を拡開したときの爪部挿入部位とは径方向逆側の巻き線部位が当接するべく他方の挟持部の先端部から外側面部に至る状態で突出または肉厚状に設けられていることを特徴とする請求項１記載の釣用プライヤー。
【請求項３】
一対の挟持部は、中間部同士が枢支され、基端側に操作部を存する一対の杆状体の先端部に設けられ、
前記挟持部は、杆状体に一体形成される挟持本体部と、該挟持本体部に着脱自在に取り付けられ、先端縁部が挟持本体部の先端縁から先方に延出する挟持面部とからなり、
前記杆状体はアルミニウム等の軽金属材で形成され、挟持面部、爪部、傾斜制限部は鋼、ステンレス等の硬質金属材で形成されたものであって、
爪部は一方の挟持面部の先端縁部に設けられ、他方の挟持面部の先端縁が爪部に摺接または近接対向し、
傾斜制限部は、他方の挟持本体部の先端縁から外側面部に至る状態で突出状に設けられることを特徴とする請求項１または２記載の釣用プライヤー。
【請求項４】
爪部は先端側底面を存した円柱形をし、該先端側底面の基端側稜線部が隣接巻き線間に挿入して拡開するものであることを特徴とする請求項１乃至３の何れか１記載の釣用プライヤー。
【手続補正２】
【補正対象書類名】明細書
【補正対象項目名】０００５
【補正方法】変更
【補正の内容】
【０００５】
本考案は、上記の如き実情に鑑みこれらの課題を解決することを目的として創作されたものであって、請求項１の考案は、開閉自在で、内側面部同士が互いに対向する一対の挟持部を備え、一方の挟持部の内側面部に他方の挟持部側に向けて突出する爪部を設け、他方の挟持部の先端縁を挟持部同士を閉じたとき前記爪部に摺接または近接対向するものにして、スプリットリングの隣接する巻き線間に爪部先端を挿入する状態で挟持部同士を閉じることにより、爪部が深く挿入して隣接する巻き線同士を拡開できるように構成にした釣用プライヤーにおいて、前記他方の挟持部の外側面部に、巻き線同士を拡開したときのスプリットリングの傾斜を制限をするための傾斜制限部が設けられていることを特徴とする釣用プライヤーである。
請求項２の考案は、傾斜制限部は、スプリットリングの巻き線同士を拡開したときの爪部挿入部位とは径方向逆側の巻き線部位が当接するべく他方の挟持部の先端部から外側面部に至る状態で突出または肉厚状に設けられていることを特徴とする請求項１記載の釣用プライヤーである。
請求項３の考案は、一対の挟持部は、中間部同士が枢支され、基端側に操作部を存する一対の杆状体の先端部に設けられ、前記挟持部は、杆状体に一体形成される挟持本体部と、該挟持本体部に着脱自在に取り付けられ、先端縁部が挟持本体部の先端縁から先方に延出する挟持面部とからなり、前記杆状体はアルミニウム等の軽金属材で形成され、挟持面部、爪部、傾斜制限部は鋼、ステンレス等の硬質金属材で形成されたものであって、爪部は一方の挟持面部の先端縁部に設けられ、他方の挟持面部の先端縁が爪部に摺接または近接対向し、傾斜制限部は、他方の挟持本体部の先端縁から外側面部に至る状態で突出状に設けられることを特徴とする請求項１または２記載の釣用プライヤーである。
請求項４の考案は、爪部は先端側底面を存した円柱形をし、該先端側底面の基端側稜線部が隣接巻き線間に挿入して拡開するものであることを特徴とする請求項１乃至３の何れか１記載の釣用プライヤーである。